(57)【特許請求の範囲】
【請求項１】
側面に凹部を有する容器を収容するための収容具であって、
前記容器を支持する支持体と、
前記容器を支持した状態で前記支持体を収容する梱包箱と、
を備え、
前記支持体は、前記容器の凹部の内壁面の上部の少なくとも一部及び下部の少なくとも一部と当接する第１凸部を備え、
前記容器は、上端部に上部開口を有するとともに、前記凹部及び前記上部開口と連通する内部空間を有し、一方向に延びる少なくとも１つの薬剤揮散体を、前記上部開口から前記内部空間へ挿入するように構成されており、
前記支持体は、前記薬剤揮散体を前記上部開口から内部空間へ挿入した状態で、前記容器を前記第１凸部で支持するとともに、前記上部開口から突出した前記薬剤揮散体の一部を支持する第２凸部をさらに備えている、収容具。
【請求項２】
前記第１凸部は、前記凹部の内壁面の上部及び下部のそれぞれにおいて、水平方向に離間した２箇所で、当接する、請求項１に記載の収容具。
【請求項３】
前記支持体は、前記容器の凹部の内壁面の上端部、及び当該上端部と対応する前記容器の上端部、の少なくとも一方と係合する突出部を備えている、請求項１または２に記載の収容具。
【請求項４】
前記第１凸部は、前記容器の内部空間に挿入された前記揮散体の一部を支持するように構成され、
前記第１凸部と第２凸部とは、略同一平面上において、前記揮散体を支持するように構成されている、請求項１から３のいずれかに記載の収容具。
【請求項５】
前記第１凸部と第２凸部との間には、隙間が形成され、
前記隙間には、前記容器の上端部と凹部との間の部分が挿入するように構成され、
前記第２凸部において、前記容器の上端部と対向する下端面は、傾斜している、請求項１から４のいずれかに記載の収容具。
【請求項６】
上端部に形成された上部開口、側面に形成された凹部、及び前記開口及び凹部と連通する内部空間を有する容器、及び一方向に延び、前記容器の前記上部開口から前記内部空間へ挿入するように構成される、少なくとも１つの薬剤揮散体、を有する揮散装置と、
請求項１から５のいずれかに記載の収容具と、
を備えている、揮散装置収容体。
【発明の詳細な説明】
【技術分野】
【０００１】
本発明は、収容具、及びこれを備えた揮散装置収容体に関する。
【背景技術】
【０００２】
従来より、容器などの商品を収容する種々の形態の収容具が提案されている。例えば、特許文献１の収容具は、商品の搬送中に、商品が収容具内で移動するのを防止するため、商品の外周を囲むように緩衝材が配置されている。
【先行技術文献】
【特許文献】
【０００３】
【特許文献１】実開昭６２−６２６０７号公報
【発明の概要】
【発明が解決しようとする課題】
【０００４】
しかしながら、上記のような収容具では、商品の周囲に緩衝材が配置されているため、収容具が、商品の外形よりもかなり大型化するという問題がある。これにより、輸送時、あるいは店頭配荷時に嵩張るおそれがあり、また、廃棄されるべき商品以外の材料が大きくなるため、省資源化の観点からも好ましくない。
【０００５】
本発明は、上記問題を解決するためになされたものであり、商品としての容器の移動を防止できるとともに、小型化が可能であり、省資源化を図ることができる収容具、及びこれを備えた揮散装置収容体を提供することを目的とする。
【課題を解決するための手段】
【０００６】
本発明に係る収容具は、側面に凹部を有する容器を収容するための収容具であって、前記容器を支持する支持体と、前記容器を支持した状態で前記支持体を収容する梱包箱と、を備え、前記支持体は、前記容器の凹部の内壁面の上部及び下部の少なくとも一部と当接する第１凸部を備えている。
【０００７】
この構成によれば、容器を収容する収容具に、凹部に挿入される第１凸部が設けられており、この第１凸部は、前記容器の凹部の内壁面の上部の少なくとも一部及び下部の少なくとも一部と当接する。そのため、第１凸部によって、容器の移動を規制することができ、支持体上に容器を固定することができる。したがって、梱包箱内で搬送中などに容器が移動するのを防止することができる。また、支持体は、容器の周囲を囲むことで、容器を固定するのではなく、容器に形成された凹部に第１凸部を挿入することで、容器の移動を規制するため、支持体を小型化することができ、ひいては梱包箱を含めた収容具全体を小型化できる。その結果、省資源化も可能となる。
【０００８】
上記収容具において、前記第１凸部は、前記凹部の内壁面の上部及び下部のそれぞれにおいて、水平方向に離間した２箇所で、当接するように構成できる。
【０００９】
これにより、容器は、少なくとも第１凸部の概ね四隅で容器の凹部に当接するため、容器が支持体から前方に傾斜して離脱するのを防止することができる。
【００１０】
上記収容具において、前記支持体は、前記容器の凹部の内壁面の上端部、及び当該上端部と対応する前記容器の上端部、の少なくとも一方と係合する突出部を備えているものとすることができる。
【００１１】
これにより、突出部が抜け止めとなり、容器の上端部が支持体から離脱するのを防止することができる。
【００１２】
上記収容具において、前記容器は、上端部に上部開口を有するとともに、前記凹部及び前記上部開口と連通する内部空間を有し、一方向に延びる少なくとも１つの薬剤揮散体を、前記開口から前記内部空間へ挿入するように構成されており、前記支持体は、前記薬剤揮散体を前記上部開口から内部空間へ挿入した状態で、前記容器を前記第１凸部で支持するとともに、前記上部開口から突出した前記薬剤揮散体の一部を支持する第２凸部をさらに備えているものとすることができる。
【００１３】
この構成によれば、薬剤揮散体が第２凸部によって支持されるため、薬剤揮散体の上部が動くのを防止することができる。そのため、薬剤揮散体の上部の動きによって、下部が移動するのを防止でき、下部が挿入された容器の移動も防止することができる。
【００１４】
上記収容具において、前記第１凸部は、前記容器の内部空間に挿入された前記揮散体の一部を支持するように構成され、前記第１凸部と第２凸部とは、略同一平面上において、前記揮散体を支持するように構成されているものとすることができる。
【００１５】
この構成によれば、容器を支持体に取り付けた状態で、薬剤揮散体を容器の上部開口から挿入する際に、薬剤揮散体を第２凸部及び第１凸部に沿って、容器の上部開口から挿入することができる。そのため、薬剤揮散体の挿入が両凸部によってガイドされ、スムーズな挿入が可能である。
【００１６】
上記収容具において、前記第１凸部と第２凸部との間には、隙間が形成され、前記隙間には、前記容器の上端部と凹部との間の部分が挿入するように構成され、前記第２凸部において、前記容器の上端部と対向する下端面は傾斜しているものとすることができる。
【００１７】
本発明に係る揮散装置収容体は、上端部に形成された上部開口、側面に形成された凹部、及び前記開口及び凹部と連通する内部空間を有する容器、及び一方向に延び、前記容器の前記上部開口から前記内部空間へ挿入するように構成される、少なくとも１つの薬剤揮散体、を有する揮散装置と、上述したいずれかの収容具と、を備えている。
【発明の効果】
【００１８】
本発明に係る収容具及びこれを備えた揮散装置収容体によれば、容器の移動を防止できるとともに、小型化が可能であり、省資源化を図ることができる。
【図面の簡単な説明】
【００１９】
【図１】本発明の一実施形態に係る揮散装置の斜視図である。
【図２】図１の揮散装置を構成する容器の正面図である。
【図３】図２の平面図である。
【図４】包装材に密閉された揮散体の平面図である。
【図５】梱包箱の斜視図である。
【図６】梱包箱を斜め下方から見た斜視図である。
【図７】支持体の正面図である。
【図８】図７の支持体の斜視図である。
【図９】容器及び揮散体を支持体４に取り付けた後、梱包箱に収容するまでの作業を説明する図である。
【図１０】容器及び揮散体を支持体４に取り付けた後、梱包箱に収容するまでの作業を説明する図である。
【図１１】容器及び揮散体を支持体４に取り付けた後、梱包箱に収容するまでの作業を説明する図である。
【図１２】容器及び揮散体を支持体４に取り付けた後、梱包箱に収容するまでの作業を説明する図である（斜視図（ａ）及び（ａ）の断面図（ｂ））。
【図１３】容器及び揮散体を支持体４に取り付けた後、梱包箱に収容するまでの作業を説明する図である。
【図１４】容器及び揮散体を支持体４に取り付けた後、梱包箱に収容するまでの作業を説明する図である。
【図１５】容器及び揮散体を支持体４に取り付けた後、梱包箱に収容するまでの作業を説明する図である。
【図１６】容器及び揮散体を支持体４に取り付けた後、梱包箱に収容するまでの作業を説明する図である。
【発明を実施するための形態】
【００２０】
以下、本発明に係る収容具及びこれを備えた揮散装置収容体の一実施形態について図面を参照しつつ説明する。この揮散装置収容体は、芳香成分などを揮散する揮散装置を梱包箱に収容したものである。具体的には、揮散装置と、この揮散装置を収容する梱包箱と、この梱包箱の内部に収容され、揮散装置を支持する支持体と、で構成されており、支持体と梱包箱とで、本発明の収容具を構成している。なお、以下では、説明の便宜のため、図２の上下方向を上下方向、左右方向を幅方向または水平方向、図３の上側を後、下側を前と称し、他の図面についてもこの方向にしたがって、説明を行う。以下、これら各部材について詳細に説明する。
【００２１】
＜１．揮散装置＞
図１は本実施形態に係る揮散装置の斜視図、図２は揮散装置を構成する容器の正面図、図３は図２の平面図である。図１に示すように、本実施形態に係る揮散装置は、薬剤が含浸された複数の揮散体１と、これら揮散体１を支持する容器２と、で構成されている。揮散体１は、棒状に形成されるとともに、薬剤を吸収し、揮散できる紙、布などの吸収材と、この吸収材に予め含浸されている薬剤と、で構成されている。薬剤は、芳香剤、消臭剤、アロマオイルなど吸収材に含浸され、外部に揮散するような薬剤全般を用いることが可能である。また、揮散体１の長さは、容器２の高さよりも長くなっており、後述するように、揮散体１の上端部が容器２から外部へ突出するようになっている。
【００２２】
また、複数の揮散体１は、使用前には、樹脂フィルムで形成された包装材５に密閉されている。具体的には、図４に示すように、平行に並べた複数の揮散体１を、包装材５で密閉している。包装材５は、揮散体１の周囲において樹脂フィルムを熱溶着することで、揮散体１を密閉している。そのため、揮散体１の周囲には、樹脂フィルムによるフラップ５１が形成されており、全体として矩形状に形成されている。
【００２３】
図１〜図３に示すように、容器２は、矩形状の底面部２１と、その両端から湾曲しつつ上方に延び、板状に形成された一対の側面部２２と、を備えている。そして、両側面部２２の上端同士が連結されることで、容器２には、前後方向に貫通する内部空間（凹部）２０が形成されている。ここでは、内部空間２０における容器２の前方側の開口を第１開口２３と称し、容器の後方側の開口を第２開口２４と称することとする。そして、この内部空間２０は、正面視において、上端部が鋭角に形成され、内壁面の側壁及び底壁は円弧状に形成されている。
【００２４】
また、両側面部２２が連結された上端部には、上下方向に延びる平面視円形の貫通孔２５が形成されている。そして、この貫通孔２５は、上端部が上部開口２７として上方に開口し、下端部は内部空間２０に連通している。貫通孔２５の周縁には、上下方向に延びる周壁部２６が形成されており、この周壁部２６の上端縁は、正面視で下に凸となるように円弧状に切り欠かれている。すなわち、この周壁部２６の上端縁、つまり上部開口２７において、容器２の前方側及び後方側には、下方に切り欠かれた凹部２７１を有し、両側には上方に突出するように突部２７２を有している。また、底面部２１の上面には、環状の突部２８が形成されており、この突部２８の内側に揮散体１の下端部が配置されるようになっている。なお、この突部２８内の中心を通り、貫通孔２５及び上部開口２７の中心を通過する上下方向の仮想線を、容器２の軸線Ｘと称することとする。この軸線Ｘは、容器２の前後左右のほぼ中心を通過する。
【００２５】
このような容器は、プラスチックなどの樹脂材料、ガラス、陶器などで形成することができる。
【００２６】
以上のように構成された容器２に対し、図１に示すように、揮散体１は、上部開口２７から挿入され、下端部が突部２８の内部に配置される。これにより、上部開口２７から突出する揮散体１が傾斜しすぎて、容器２の幅よりもはみ出したり、外観が悪くなるのを防止することができる。
【００２７】
＜２．梱包箱＞
図５は梱包箱の斜視図、図６は梱包箱を斜め下方から見た斜視図である。図５及び図６に示すように、本実施形態に係る梱包箱３は、上下方向に長い縦長の直方体状に形成されており、前面が開口する箱本体３１と、この箱本体３１の前面を開閉自在に閉じる蓋部３２と、を備えている。箱本体３１は、上下方向に延びる矩形状の背面板３１１、この背面板３１１の四辺から延びる矩形状の上面板３１２、一対の側面板３１３、３１４、及び底面板３１５により構成されている。また、上面板３１２、左側の側面板３１４、及び底面板３１５の前端には、フラップ３１６〜３１８がそれぞれ取り付けられている。蓋部３２は、右側の側面板３１３の前端から延び、箱本体３１の前面開口及び左側の側面板３１４を湾曲した状態で覆うように形成されている。また、蓋部３２の左側の端部には、突部３２１が設けられており、この突部３２１は、背面板３１１と左側の側面板３１４との連結部分に形成された切り込み３３に係止可能となっている。したがって、ユーザは、突部３２１を切り込み３３から離脱させた後、蓋部３２を開いて、箱本体３１の前面の開口を開放し、揮散装置を取り出すようになっている。
【００２８】
＜３．支持体＞
図７は支持体の正面図、図８は支持体の斜視図である。支持体４は、揮散装置を保持した状態で、梱包箱３に収容される部材であり、揮散装置を、梱包箱３の中で移動しないように固定する緩衝材としても機能する。
【００２９】
図７及び図８に示すように、支持体４は、プラスチック、紙などの材料で形成されており、その色は特には限定されないが、例えば、透明または半透明にすることができる。支持体４をプラスチックなどで成形する場合には、矩形状に形成された平坦な基板部４０の一部を前方へ隆起させることで成形することができ、これによって、主として３つの隆起部、つまり下方から上方に向かって並ぶ第１隆起部４１，第２隆起部（第１凸部）４２，及び第３隆起部（第２凸部）４３を備えている。また、第２隆起部４２と第３隆起部４３との間には、これら隆起部４２，４３よりも基板部４０からの高さが低い連結隆起部４４が設けられており、この連結隆起部４４によって第２隆起部４２と第３隆起部４３とが連結されている。そして、このような隆起部４１〜４４が成形されているため、基板部４０の背面において、各隆起部４１〜４４と対応する部分は、凹部となっている。
【００３０】
以下、各隆起部４１〜４４について、説明する。まず、基板部４０の下端部には、容器２の底面部２１を支持する第１隆起部４１が形成されている。この第１隆起部４１は、基板部４０の下端部において幅方向全体に亘って隆起する基台部４１１と、この基台部４１１から前方に延び、板状に形成された支持板部４１２と、を備えている。そして、この第１隆起部４１の上方には、容器２の内部空間２０に挿入される第２隆起部４２が形成されている。
【００３１】
第２隆起部４２は、第１隆起部４１の基台部４１１の上端付近から、基板部４０の上下方向の中央付近まで延びるように形成されている。より詳細には、第２隆起部４２は、基板部４０及び基台部４１１から前方に延びる正面視三角形状の基部４２１と、この基部４２１の上面から前方に向かって延びる平面視台形状の支持台４２２と、を備えている。支持台４２２の前面は平坦に形成され、支持台４２２の上端から上方に向かっては、基板部４０側に向かって下る三角形状の傾斜面４２３が形成されている。そして、この傾斜面４２３の上縁から連結隆起部４４に向かう面が、平面視で上に凸の第１係合面４２４を構成している。また、この第１係合面４２４において、連結隆起部４４の前面からやや離れた位置には、幅方向に延び、上方に突出する第１突出部４２５が形成されている。
【００３２】
支持台４２２の幅は、基部４２１よりも小さく、上端から下方にいくにしたがって幅が広がっている。また、支持台４２２の両側には、平面視三角形状の側台部４２６がそれぞれ形成されている。各側台部４２６は、基部４２１上に形成され、側面が基部４２１の側面と連続している。すなわち、基部４２１の側面と側台部４２６の側面とは、連続しつつ、前方に向かって基板部４０とは垂直に延びている。また、側台部４２６は、基部４２１の上端付近から下方に延びており、上下方向の長さは、支持台４２２よりも短くなっている。
【００３３】
続いて、第３隆起部４３について説明する。上述したように、第２隆起部４２と、第３隆起部４３との間には、これら隆起部４２，４３よりも基板部４０からの高さが低い連結隆起部４４が設けられている。これにより、第２隆起部４２の上端部と、第３隆起部４３の下端部との間には隙間が形成されている。第３隆起部４３は、この隙間を介して、第２隆起部４２の上方に配置され、平面視台形状に形成されている。より詳細には、第３隆起部４３は、上端の幅が大きく、下方に向かうにしたがって幅が小さくなるように形成されており、下端部の幅は、第２隆起部４２の支持台４２２の上端の幅とほぼ同じとなっている。そして、第３隆起部４３の前面は平坦に形成され、第２隆起部４２の前面（支持台４２２の前面）とは、基板部４０からの高さがほぼ同じになっている。また、第３隆起部４３において、連結隆起部４４よりも前方にある下端面は、左側上方に向かって若干傾斜するような円弧状に形成されており、上述した第１係合面４２４と対向する第２係合面４３１を構成している。そして、この第２係合面４３１には、上述した第１突出部４２５と対応する位置に、幅方向に延び、下方に突出する第２突出部４３２が形成されている。すなわち、この第２突出部４３２は、連結隆起部４４の前面からやや離れた位置に配置されている。
【００３４】
なお、支持体４を樹脂成形で作製する場合、上記のように第２隆起部４２を、基部４２１、支持台４２２、及び側台部４２６を積み重ねることで、基板部４０から複数の段を有するように形成すると、成形時にシワが生じるのを防止することができる。例えば、このような段を形成しなければ、基板部４０から第２隆起部４２の前面までを１つの壁面で形成することになるため、シワが生じやすくなる。
【００３５】
＜４．梱包形態＞
図９〜図１４は、容器及び揮散体を支持体４に取り付けた後、梱包箱に収容するまでの作業を説明する図である。
【００３６】
図９に示すように、容器２及び揮散体１を梱包箱３に梱包するには、まず、容器２を支持体４に配置する。より詳細には、支持体の第２開口２４に、支持体４の第２隆起部４２を嵌め込む。このとき、図１０に示すように、容器２の第２開口２４と上部開口２７との間の周壁部２６が、第２隆起部４２と第３隆起部４３との間の隙間に嵌め込まれ、周壁部２６は、連結隆起部４４に当接する。これにより、周壁部２６は、第１突出部４２５と第２突出部４３２とが抜け止めになって連結隆起部４４への当接状態が維持される。また、第２隆起部４２の両側台部４２６の外側面が、容器２の側面部２２における内壁面の上部に当接する（矢印Ｅ）。両側台部４２６の外側面と、容器２の側面部２２の内壁面とは、ともに基板部４０に対して垂直に延びているため、面接触する。また、第２隆起部４２の基部４２１における両側面の下端部が、容器２の側面部２２における内壁面の下端部に当接する（矢印Ｆ）。この当接も、面接触である。さらに、容器２の底面部２１が、第１隆起部４１の基台部４１１に当接するとともに、支持板部４１２によって下方から支持される。このとき、図１１に示すように、第２隆起部４２の前面、つまり支持台４２２の前面は、容器２の軸線Ｘよりもやや前方に位置する。こうして、容器２は、第２隆起部４２の側面の４箇所と面接触するとともに、周壁部２６が、第２隆起部４２と第３隆起部４３との間の隙間に固定される。
【００３７】
続いて、揮散体１を取り付ける。以下、図１２〜図１５では、取り扱いの容易さを考慮して、支持部４の基板部４０を水平にした状態で、説明を行う。但し、説明における向きは、上述した基準にしたがう。揮散体１は、容器２の上部開口２７から挿入されるのであるが、容器２が支持体４に取り付けられた状態で、軸線Ｘと平行に揮散体１を挿入するのは容易ではないので、容器２の軸線Ｘに対し揮散体１を斜めに傾斜させた状態で、容器２の上部開口２７に挿入する。具体的には、図１２（ａ）に示すように、揮散体１の下端部を第３隆起部４３の前面に当接し、揮散体１の上端側を第３隆起部４３から離間するように傾斜させた状態で、揮散体１を下方に向かって、つまり容器２の上部開口２７に向かって移動させる。このとき、図１２（ｂ）に示すように、揮散体１を密閉する包装材５の両側（左右）のフラップ５１が第３隆起部４３を両側から覆うようにする。すなわち、両側のフラップ５１が基板部４０側を向くようにする。これにより、両側のフラップ５１がガイドとなって、揮散体１の下端部を、上方から下方へ第３隆起部４３に沿ってスムーズに移動させることができる。
【００３８】
そして、揮散体１が傾斜した状態で容器２に向かって移動すると、図１３に示すように、揮散体１の下端部は、隙間を乗り越え、第２隆起部４２の上端の傾斜面４２３に当接する。こうして、揮散体１の下端部が傾斜面４２３に当接すると、揮散体１が第３隆起部４３の前面と当接するように、角度を変える。これにより、揮散体１は容器２の軸線Ｘと平行に延びるようになる。このとき、揮散体１の下端部は、容器２の上部開口２７に挿入されているので、これに続いて、図１４に示すように、揮散体１を、下方に移動させて容器２の内部空間２０に挿入する。容器２の軸線Ｘと平行となった揮散体１は、第２隆起部４２の支持台４２２の前面に当接した状態で、移動する。すなわち、揮散体１は、第３隆起部４３の前面、及び第２隆起部４２の支持台４２２の前面にガイドされつつ、容器２の内部空間２０にさらに深く挿入される。そして、図１５に示すように、揮散体１の下端部が、容器２の底面部２１に当接すると、挿入作業は完了する。上記のように、第２隆起部４２の支持台４２２の前面は、容器２の軸線Ｘよりもやや前方に位置するため、挿入された揮散体１は、支持台４２２により、やや前方に押圧された状態となる。これにより、容器２の周壁部２６の内壁面と、揮散体１との隙間が小さくなり、揮散体１が容器内で移動するのが規制される。また、揮散体１を密閉する包装材のフラップ５１が、周壁部２６の内壁面を押圧するため、これによっても揮散体１の移動を規制することができる。
【００３９】
こうして、支持体４に容器２と揮散体１とを取り付けた後、図１６に示すように、この支持体４を梱包箱３に収容する。すなわち、梱包箱３の前部開口から支持体４を挿入し、支持体４の基板部４０の背面と、梱包箱３の背面板３１１とが当接するように配置する。梱包箱３の上下方向の高さは、支持体４よりも高いが、支持体４の上端と、梱包箱３の上面板３１２との間の隙間には、支持体４から突出した揮散体１が配置される。そして、蓋部３２を閉じれば、梱包が完了する。
【００４０】
このような梱包形態においては、次のような利点がある。まず、揮散体１は、第３隆起部４３の前面に支持されているため、揮散体１の上部が後方へ傾斜するのを防止することができる。これにより、揮散体１の下部が前方へ傾斜するのも防止できる。その結果、揮散体１の下部が容器２を前方に押し出し、支持体４から離脱させるのを防止することができる。
【００４１】
また、揮散体１が容器２に挿入された状態で、周壁部２６の貫通孔２５の内壁面に当接するため、周壁部２６を挟んで揮散体１の上方及び下方は、周壁部２６を中心として幅方向に揺動可能なる。これに対して、第２隆起部４２の支持台４２２は下方にいくにしたがって幅が広くなっており、第３隆起部４３は上方にいくにしたがって幅が広くなっている。したがって、図１６に示すように、第２及び第３隆起部４２，４３は、揮散体１が揺動する方向に幅が広くなっているため、揮散体１が揺動したとしても、しっかりと支持することができ、揮散体１の前後方向の移動を規制することができる。また、上述のとおり、揮散体１を容器２の上部開口２７から挿入するときに、揮散体１を密閉する包装材５の両側のフラップ５１が容器２の内面に当たり、内側に折り込まれる。この時、第２隆起部４２の支持台４２２の上方が狭くなっていることで、折り込まれたフラップ５１が、第２隆起部４２の支持台４２２にぶつかることなく、第２隆起部４２にスムーズに移行することができ、その後、両側のフラップ５１が第２隆起部４２の支持台４２２を両側から覆い、それがガイドとなって、揮散体１の下端部を、容器２の底面部２１まで移動させることができる。
【００４２】
＜５．使用方法＞
続いて、使用方法について説明する。まず、梱包箱３の蓋部３２を開く。続いて、支持体４を容器２及び揮散体１とともに、梱包箱３から取り出す。次に、揮散体１を容器２から引き抜き、これに続いて、容器２を支持体４から取り外す。このとき、第３隆起部４３の下端面である第２係合面４３１は、左側上方に向かって傾斜しているため、例えば、図９の状態から、容器２を右手で把持し、軸線Ｘ回りに、右側へ回転させながら、支持体４から取り外すと、容器２の上部開口２７の周縁が、第３隆起部４３の第２係合面４３１に引っかからずに容易に取り外すことができる。また、第２隆起部４２は、上方にいくにしたがって幅が狭くなっているため、これによっても容器２の第２開口と第２隆起部４２が引っかかりにくく、取り外しやすい。
【００４３】
次に、揮散体１の包装材５の上下のフラップ５１を切断し、包装材５の上下に開口を形成する。そして、包装材５を掴んで、揮散体１を容器２の上部開口２７から挿入する。揮散体１の下端部が容器２の底面部２１に当接すると、包装材５のみを上方に持ち上げ、揮散体１から包装材５を取り外す。揮散体１の下端部は、容器２の底面部２１の環状の突部２８の内部に配置され、図１に示す使用状態となる。そして、揮散体１には薬剤が含浸されているため、芳香成分や消臭成分が揮散体から揮散され、芳香効果や消臭効果を得ることができる。
【００４４】
＜６．特徴＞
以上のように、本実施形態によれば、支持体４に、容器２の内部空間２０に挿入される第２隆起部４２が形成されており、この第２隆起部４２は、内部空間２０の内壁面の上部の２箇所及び下部の２箇所と当接する。そのため、第２隆起部４２によって、容器２の移動を規制することができ、支持体４上に容器２をしっかりと固定することができる。したがって、梱包箱３内で、搬送中などに容器２が移動するのを防止することができる。特に、第２隆起部の側面と、容器の内部空間の内壁面とは、ともに平行に延びて面接触するため、容器が支持体から前方側へ傾斜して離脱するのを防止することができる。
【００４５】
そして、このような支持体４は、容器２の周囲を囲むことで、容器を固定するのではなく、容器２に形成された内部空間２０に第２隆起部４２を挿入することで、容器２の移動を規制するため、支持体４を小型化することができ、ひいては梱包箱３を含めた収容具全体を小型化できる。その結果、省資源化も可能となる。
【００４６】
＜７．変形例＞
以上、本発明の一実施形態について説明したが、本発明はこれに限定されるものではなく、その趣旨を逸脱しない限りにおいて種々の変更が可能である。
【００４７】
例えば、上記実施形態では、第２隆起部４２が、容器２の内部空間２０の四隅において当接することで、容器２の移動を規制しているが、当接箇所は、これに限定されず、容器２の内部空間２０の内壁面において、少なくとも上部及び下部において当接していれば、容器２の移動を規制することができる。
【００４８】
支持体４の形状は、上記実施形態に限定されず、少なくとも内部空間２０に挿入される第２隆起部４２があればよく、その形態も容器の内壁面において、少なくとも上部及び下部において当接していればよい。また、支持体４は、樹脂成形以外で製造されてよく、この場合には背面側の凹部が形成されない。すなわち、各隆起部４１〜４４が中実であってもよい。
【００４９】
上記実施形態では、容器２に前後方向に貫通する内部空間２０を形成しているが、少なくとも第２隆起部４２と対応する位置に、凹部が形成されていればよく、必ずしも貫通していなくてもよい。
【００５０】
容器の形態は、上記実施形態に限定されず、第２隆起部が挿入される凹部が形成されていれば、外形は特には限定されない。また、揮散装置に用いる容器以外であってもよく、側面に凹部が形成されているような容器であれば、本発明が適用可能である。
【００５１】
揮散体１は、棒状以外でもよく、一方向に延びるような形態であれば、板状であってもよい。
【００５２】
梱包箱３は、直方体状であるが、特には限定されず、多角柱状、円柱状であってもよく、蓋部の位置も特には限定レさない。そして、少なくとも支持体４と容器２が収容できればよい。
【符号の説明】
【００５３】
１    ：揮散体
２    ：容器
３    ：梱包箱
４    ：支持体
２０  ：内部空間
２７  ：上部開口
【図１】
0006405179.tif 000002
【図２】
0006405179.tif 000003
【図３】
0006405179.tif 000004
【図４】
0006405179.tif 000005
【図５】
0006405179.tif 000006
【図６】
0006405179.tif 000007
【図７】
0006405179.tif 000008
【図８】
0006405179.tif 000009
【図９】
0006405179.tif 000010
【図１０】
0006405179.tif 000011
【図１１】
0006405179.tif 000012
【図１２】
0006405179.tif 000013
【図１３】
0006405179.tif 000014
【図１４】
0006405179.tif 000015
【図１５】
0006405179.tif 000016
【図１６】
0006405179.tif 000017